(57)【特許請求の範囲】
【請求項１】
シャフトの一端側に手によって把持されるグリップを備え、上記シャフトの他端側には、一方の面に粘着面を有する粘着テープを、上記粘着面が表側を向くように巻回された清掃用粘着テープロールが回転可能に支持される粘着式清掃具を、自立した状態で保管する粘着式清掃具用スタンドにおいて、
所定の被設置面上に載置されるベース板と、上記ベース板の両端から立設され、上記清掃用粘着テープロールの側端面に対向的に配置される一対の側板とを含み、少なくとも一方の上記側板には、上記シャフトの一部を支持して、上記シャフトをほぼ垂直に支持するシャフト支持部が設けられており、上記ベース板には、上記清掃用粘着テープロールの両端の外周端縁に当接して、上記清掃用粘着テープロールを支持する支持部が設けられていることを特徴とする粘着式清掃具用スタンド。
【請求項２】
上記支持部は、上記清掃用粘着テープロールの両端の外周端縁に当接する一対の傾斜面からなり、上記傾斜面は、その始点が上記粘着テープロールの外周端よりも内側に配置され、その終点が上記粘着テープロールの外周端よりも外側に配置されており、上記始点から上記終点に向けて所定の上り勾配で傾斜していることを特徴とする請求項１に記載の粘着式清掃具用スタンド。
【請求項３】
上記各傾斜面はさらに、所定曲率の湾曲面であることを特徴とする請求項２に記載の粘着式清掃具用スタンド。
【請求項４】
上記各傾斜面はさらに、上記清掃用粘着テープロールの上記回転軸線を挟んで対向する谷状に形成されていることを特徴とする請求項２または３に記載の粘着式清掃具用スタンド。
【請求項５】
上記ベース板の表面から所定深さで形成される凹部を有し、上記凹部の両端が上記各側板方向に向かって漸次浅くなるように上記傾斜面を形成していることを特徴とする請求項２または３に記載の粘着式清掃具用スタンド。
【請求項６】
上記清掃用粘着テープロールは、両端に非粘着なドライエッジ部を有することを特徴とする請求項１ないし５のいずれか１項に記載の粘着式清掃具用スタンド。
【発明の詳細な説明】
【技術分野】
【０００１】
本発明は、清掃用粘着テープロールを有する粘着式清掃具を自立した状態で保管する粘着式清掃具用スタンドに関し、さらに詳しく言えば、上記粘着式清掃具をワンタッチで確実に着脱可能な粘着式清掃具用スタンドに関する。
【背景技術】
【０００２】
カーペットなどに付着したゴミを除去する清掃具の１つに粘着式清掃具がある。この種の粘着式清掃具は、一方の面に粘着面が形成された粘着テープを、その粘着面が表側に向くように巻回された粘着テープロールがシャフトの一端に回転可能に軸支され、他端に把持用のグリップを有し、被清掃面の上で粘着テープロールを転がすことで、ゴミを粘着面で捕捉するようになっている。
【０００３】
ところで、この種の粘着テープロールによる粘着式清掃具は、粘着面が常に露出しているため、そのまま床に置いたりすると、粘着面が床面に貼り付いてしまう。そこで、特許文献１に記載の粘着式清掃具では、清掃具本体側に上カバーを取り付け、これに合致する下カバーを被設置面上に置き、下カバーの上に上カバーを乗せることで、粘着テープロールを宙づりした状態のまま、保管できるようにした。
【０００４】
これによれば、粘着面が床面に貼り付くことなく、ワンタッチで着脱することができる。しかしながら、特許文献１に記載の粘着式清掃具によると、上カバーが清掃具本体に一体的に取り付けられているため、粘着テープロールの着脱が面倒であった。さらには、上カバーと下カバーをそれぞれ用意する必要があるため、生産コストの面でも好ましくない。
【０００５】
そこで、特許文献２では、清掃具本体側に所定の回転軸を中心に開閉する一つのカバー部片を設け、カバー部片を閉じた状態では、カバー部片の先端が床面に当接して粘着テープロールの粘着面を床面から持ち上げて非接触となるようにしている。
【０００６】
これによれば、本体側に設けられたカバーを閉じることで、粘着テープロールの粘着面が床面から持ち上げれ、床に貼り付くことなく、長期にわたって保管することができる。しかしながら、清掃時には、各カバー部片をそれぞれ開く必要があり、その操作が面倒である。さらに、この場合もカバーが清掃具本体側に設けられているため、組み立て工数やコストが高くなるという問題がある。
【先行技術文献】
【特許文献】
【０００７】
【特許文献１】実開平６−８５６６０号公報
【特許文献２】特開平９−７５２９３号公報
【発明の概要】
【発明が解決しようとする課題】
【０００８】
したがって、本発明の課題は、粘着テープロールを有する粘着式清掃具を、その粘着面を非接触として自立状態で保管することができる粘着式清掃具用スタンドを提供する。
【課題を解決するための手段】
【０００９】
上述した課題を解決するため、本発明は以下に示すいくつかの特徴を備えている。シャフトの一端側に手によって把持されるグリップを備え、上記シャフトの他端側には、一方の面に粘着面を有する粘着テープを、上記粘着面が表側を向くように巻回された清掃用粘着テープロールが回転可能に支持される粘着式清掃具を、自立した状態で保管する粘着式清掃具用スタンドにおいて、所定の被設置面上に載置されるベース板と、上記ベース板の両端から立設され、上記清掃用粘着テープロールの側端面に対向的に配置される一対の側板とを含み、少なくとも一方の上記側板には、上記シャフトの一部を支持するシャフト支持部が設けられており、上記ベース板には、上記清掃用粘着テープロールの両端の外周端縁に当接して、上記清掃用粘着テープロールを支持する支持部が設けられていることを特徴としている。
【００１０】
より好ましい態様として、上記支持部は、上記清掃用粘着テープロールの外周端縁に当接する一対の傾斜面からなり、上記傾斜面は、その始点が上記粘着テープロールの外周端よりも内側に配置され、その終点が上記粘着テープロールの外周端よりも外側に配置されており、上記始点から上記終点に向けて所定の上り勾配で傾斜していることを特徴としている。
【００１１】
さらに好ましい態様として、上記傾斜面は所定曲率の湾曲面であることを特徴としている。
【００１２】
上記傾斜面はさらに、上記清掃用粘着テープロールの上記回転軸線を挟んで対向する谷状に形成されていることを特徴としている。
【００１３】
また、上記ベース板の表面から所定深さで形成される凹部を有し、上記凹部の両端が上記各側板方向に向かって漸次浅くなるように上記傾斜面を形成していることを特徴としている。
【００１４】
より好ましい態様して、上記清掃用粘着テープロールは、両端に非粘着なドライエッジ部を有することを特徴としている。
【発明の効果】
【００１５】
シャフトの一端側に手によって把持されるグリップを備え、上記シャフトの他端側には、一方の面に粘着面を有する粘着テープを、上記粘着面が表側を向くように巻回された清掃用粘着テープロールが回転可能に支持される粘着式清掃具を、自立した状態で保管する粘着式清掃具用スタンドにおいて、所定の被設置面上に載置されるベース板と、上記ベース板の両端から立設され、上記清掃用粘着テープロールの側端面に対向的に配置される一対の側板とを含み、少なくとも一方の上記側板には、上記シャフトの一部を支持して、上記シャフトをほぼ垂直に支持するシャフト支持部が設けられており、上記ベース板には、上記清掃用粘着テープロールの両端の外周端縁に当接して、上記清掃用粘着テープロールを支持する支持部が設けられていることにより、粘着テープロールを、その両端の外周端に当接して支持するようにしたことにより、粘着面が貼り付ついてスムーズな出し入れを阻害することを防止することができる。
【００１６】
上記支持部は、上記清掃用粘着テープロールの外周端縁に当接する一対の傾斜面からなり、上記傾斜面は、その始点が上記粘着テープロールの外周端よりも内側に配置され、その終点が上記粘着テープロールの外周端よりも外側に配置されており、上記始点から上記終点に向けて所定の上り勾配で傾斜していることにより、粘着テープロールの外周端縁を確実に支持することができる。
【００１７】
さらに好ましい態様として、上記傾斜面は所定曲率の湾曲面であることにより、上記粘着テープロールの外周端縁の接触面積を減らすことができる。
【００１８】
上記傾斜面はさらに、上記清掃用粘着テープロールの上記回転軸線を挟んで対向する谷状に形成されていることにより、上記粘着テープロールの外周端縁に対して点接触で接触するため、さらに接触面積を減らすことができ、よりスムーズな出し入れが可能となる。
【００１９】
また、上記ベース板の表面から所定深さで形成される凹部を有し、上記凹部の両端が上記各側板方向に向かって漸次浅くなるように上記傾斜面を形成していることにより、粘着式清掃具を取り付けたことにより、その位置が低重心となることで、より安定性を増すことができる。
【００２０】
より好ましい態様として、上記清掃用粘着テープロールは、両端に非粘着なドライエッジ部を有することにより、粘着テープロールの外周端縁が非粘着であることで、さらにスムーズな取り出しが可能となる。
【図面の簡単な説明】
【００２１】
【図１】本発明の一実施形態に係る粘着式清掃具用スタンドの斜視図。
【図２】上記粘着式清掃具用スタンドの正面図。
【図３】上記粘着式清掃具用スタンドの平面図
【図４】上記粘着式清掃具用スタンドの底面図。
【図５】上記粘着式清掃具用スタンドの側面図。
【図６】上記粘着式清掃具用スタンドの図２のＡ−Ａ線断面図。
【図７】上記粘着式清掃具用スタンドの図３のＢ−Ｂ線断面図。
【図８】上記粘着式清掃具用スタンドに粘着式清掃具を装着した状態の（ａ）Ａ−Ａ線断面図および（ｂ）Ｂ−Ｂ線断面図。
【図９】（ａ）粘着テープロールが最大径Ｄｍａｘのときの図７のＣ−Ｃ線断面図，（ｂ）粘着テープロールが最小径Ｄｍｉｎのときの図７のＣ−Ｃ線断面図。
【発明を実施するための形態】
【００２２】
次に、本発明の実施形態について、図面を参照しながら説明するが、本発明はこれに限定されるものではない。
【００２３】
図１〜図５に示すように、この粘着式清掃具用スタンド１（以下、単にスタンド１と称す）は、図示しない床などの被設置面に設置されるベース板２と、同ベース板２の長手方向の両端（図２では左右両端）からほぼ垂直に立設された一対の側板３，３とを備えている。
【００２４】
このスタンド１は、図８に示すように、粘着式清掃具１０を専用に保持するものである。粘着式清掃具１０は、金属製のシャフト１１の一端に手で把持されるグリップ１２を有し、シャフト１１の他端には、図示しない回転支持ローラを介して粘着テープロール１３が回転可能に支持されている。
【００２５】
この例において、粘着テープロール１３は、粘着面１３ａが表側を向くように形成された粘着テープを図示しない巻芯に沿って多重に巻回した清掃用の粘着テープロール１３である。この粘着テープロール１３の両端には、粘着力を有さない非粘着のドライエッジ部１３ｂ，１３ｂが設けられている。
【００２６】
この実施形態において、スタンド１は、合成樹脂の一体成型品からなるが、その材質や成形方法などについては、仕様に応じて任意に選択されてよい。すなわち、金属製であってもよいし、ベース板２と側板３，３とが別体で構成され、後から組み合わせたものであってもよい。
【００２７】
ベース板２は、扁平な長方形状を呈し、その上面（図２では上面）は、粘着式清掃具１０（図８参照）の載置面４が設けられている。この例において、ベース板２は、縦７４ｍｍ×横２０５ｍｍの長方形状で、粘着テープロール１３の軸長Ｌは１６０ｍｍで、幅は最大外径Ｄｍａｘが６０ｍｍ、最小外径Ｄｍｉｎが４０ｍｍである。
【００２８】
図４に示すように、ベース板２は、軽量化や低コスト化を図るため肉抜きされており、底面には、それを補うリブ２１が格子状に形成されている。この例において、ベース板２の底面は、肉抜きされた状態が剥き出しとなっているが、化粧板を用いて塞いでもよい。
【００２９】
図６および７を併せて参照して、載置面４は、ベース板２の上面から下に向かって凹まされた凹部からなり、図３に示すように、載置面４は、中央の開口幅Ｗ１よりも側板３，３側の開口幅Ｗ２が漸次小さくなるように形成されている。載置面４は同様に、その深さも側板３，３方向に向かうにつれて漸次小さくなるように形成されている。
【００３０】
載置面４の両端には、各側板３，３側に向かって傾斜する一対の傾斜面４１，４１が設けられている。図７に示すように、傾斜面４１は、始点Ｐａが粘着テープロール１３の軸端１３１よりも内側に配置され、終点Ｐｂが粘着テープロール１３の軸端１３１よりも外側に配置され、それらが所定の上り勾配で形成されている。
【００３１】
これによれば、粘着テープロール１３の外周端縁が当接する当接点Ｐが、傾斜面４１の始点Ｐａと終点Ｐｂとの間に必ず位置するようになる。したがって、粘着テープロール１３の粘着面１３ａがベース板２の表面に貼り付くことなく、粘着テープロール１３をスムーズに取り出すことができる。
【００３２】
傾斜面４１，４１はさらに、所定曲率で湾曲された湾曲面からなり、より好ましくは、傾斜面４１，４１は、粘着テープロール１３の軸線を中心軸として、互いに対向する谷状に形成されている。
【００３３】
この例において、傾斜面４１，４１は、立体的な谷状、いわゆる船底状（樽型状）に形成されている。また、載置面４の開口幅は、中央部をＷ１、両端部をＷ２としたとき、Ｗ１＞Ｗ２となるように形成されている。また、両端側の開口幅Ｗ２は、粘着テープロール１３の清掃可能な有効最小径よりも大きく設定されている。
【００３４】
これによれば、図９（ａ）に示すように、粘着テープロール１３が最大外径Ｄｍａｘの状態では、粘着テープロール１３の外周端縁１３１が常に載置面４の稜線上の４ヶ所の接点Ｐ１の上で点接触で支持されることになる。したがって、粘着テープロール１３が重い状態では４点で支持されることで、より安定した自立状態で保持できる。また、粘着面１３ａのベース板２の表面に対する接触面積が減ることで、粘着式清掃具１０の出し入れをスムーズに行うことができる。
【００３５】
また、図９（ｂ）に示すように、粘着テープロール１３が最小外径Ｄｍｉｎの状態では、載置面４の２ヶ所の接点Ｐ２，Ｐ２上で点接触によって保持される。これによれば、最小外径Ｄｍｉｎでは、粘着テープロール１３の重さも軽いため、２点で支持しても安定して自立状態を維持できる。
【００３６】
この例において、載置面４の表面には特に何も何も加工されていないが、より好ましくは、エンボス加工やフッ素加工などの易剥離加工を施して、粘着面がより剥がれやすくなるように工夫してもよい。
【００３７】
次に、側板３，３について説明するが、側板３，３は左右対称形状であるため、いずれか一方のみについて説明する。側板３は、基端側がベース板４の幅とほぼ同幅であって、上端側に向かうにつれて幅が漸次小さくなる三角形状を呈し、その先端側は丸く湾曲している。
【００３８】
側板３の内周面（粘着テープロール１３の端面と対向する面）には、粘着式清掃具１０のシャフト１１の一部（図８の垂直部１１ａ）を支持する支持溝３１が設けられている。この例において、各側板３，３の間隔は、上記粘着テープロール１３の軸長Ｌよりも若干大きく形成されている。
【００３９】
支持溝３１は、側板３の上端側に向けて開放された導入部３２と、導入部３１の下端からベース板２の上面までほぼ垂直に形成された保持部３３とを備えている。導入部３２は、下端が保持部３３に接続され、上端側に向かうにつれて開口幅が漸次大きくなるＶ字状に形成されている。
【００４０】
これによれば、導入部３２の入口が大きく開口され、保持部３３に向かうにつれて開口幅が狭くなっていることにより、より粘着式清掃具１０が取り付けやすくなっている。この例において、支持溝３１は、各側板３，３の両方に設けられており、いずれの方向からも粘着式清掃具１０が置けるようになっている。
【００４１】
このスタンド１を使用するに当たっては、至って簡単に、スタンド１を任意の床面（被設置面）に置き、粘着式清掃具１０をスタンド１の上から支持溝３１にシャフト１１の垂直部１１ａを差し込むことによって、ワンタッチで設置することができる。
【００４２】
この例において、スタンド１は、一般的な粘着テープロール１３の長さ１６０ｍｍの規格サイズを例に取って説明したが、これ以外に、ペット用や衣類用のミニタイプ（長さ１００ｍｍ）や、２４０ｍｍのロングタイプなどの粘着テープロール１３を使用する粘着式清掃具１０に用いられてもよく、その場合は、ベース板２の長さが各粘着テープロール１３の長さに合わせて調節されてよい。
【００４３】
さらには、ベース板２の一部を伸縮式として、粘着テープロール１３のサイズに合わせて伸縮可動可能としてもよい。また、直径が１００ｍｍを超えるロングライフタイプの粘着テープロールに合わせて、ベース板２と側板３，３の幅を広幅としたタイプも本発明に含まれてよい。
【符号の説明】
【００４４】
１  粘着式清掃具用スタンド
２  ベース板
３，３  側板
３１  支持溝
３２  導入部
３３  保持部
４  載置面
１０  粘着式清掃具
１１  シャフト
１１ａ  垂直部
１２  グリップ
１３  粘着テープロール
【図１】
0005611176.tif 000002
【図２】
0005611176.tif 000003
【図３】
0005611176.tif 000004
【図４】
0005611176.tif 000005
【図５】
0005611176.tif 000006
【図６】
0005611176.tif 000007
【図７】
0005611176.tif 000008
【図８】
0005611176.tif 000009
【図９】
0005611176.tif 000010